(57)【要約】【課題】多数のＵ型鋼矢板をその係合耳部を互いに係合しながら隣接して、互いに隣接するＵ型鋼矢板のＵ状ウェッブ部が交互に表裏反転しながらＵ型鋼矢板を地中に圧入するようにしたＵ型鋼矢板圧入装置を提案することを目的とする。【解決手段】圧入機本体１１にチャック装置１２が上下動可能に且つ水平回転可能に装備され、該チャック装置１２に、前記オーガーケーシング８と、該オーガーケーシング８の外周部に沿ってＵ状ウェブ部１０ａがオーガーケーシング８側に向くようにしてＵ型鋼矢板１０とがチャックされ、アースオーガー５のオーガー本体７とオーガーケーシング８との間、又はオーガーケーシング８自体にケーシング回転装置１３を介在装備させ、該ケーシング回転装置１３によってオーガーケーシング８が回転され、オーガーケーシング８をチャックするチャック装置１２が、オーガーケーシング８を介して、ケーシング回転装置１３によって、オーガー本体７に対して独自に水平回転可能に設けられてなる。【選択図】図１
2019031846.tif 000002
【特許請求の範囲】
【請求項１】
先端部が左右に二股状に分岐し、これによって二股状ブーム部の左右間は空所部となっており、これら左右の二股状ブーム部の夫々の先端部に右吊り上げ用ワイヤー３左吊り上げ用ワイヤーを設け、これら左右の吊り上げ用ワイヤによって被吊持物であるアースオーガーが吊持され、該アースオーガーは、上記空所部に位置してオーガー駆動部を備えるオーガー本体と、該オーガー本体に取り付けられるオーガーケーシングと、該オーガーケーシングを貫通して、その先端部の掘削ヘッドがオーガーケーシングの下端部より下方に突出した状態で、前記オーガー駆動部によって駆動される掘削ロッドとからなり、既に打ち込まれた既設の鋼矢板に支持される圧入機本体にチャック装置が上下動可能に装備され、該チャック装置によって、前記オーガーケーシングと、該オーガーケーシングの外周部に沿ってＵ型鋼矢板とがチャックされ、掘削ロッドの掘削ヘッドによる先掘り駆動と、前記チャック装置の上下駆動によって前記オーガーケーシングと前記Ｕ型鋼矢板とが地中に圧入されるようにしたＵ型鋼矢板圧入装置において、
圧入機本体にチャック装置が上下動可能に且つ水平回転可能に装備され、該チャック装置に、前記オーガーケーシングと、該オーガーケーシングの外周部に沿ってＵ状ウェブ部がオーガーケーシング側に向くようにしてＵ型鋼矢板とがチャックされ、
アースオーガーのオーガー本体とオーガーケーシングとの間、又はオーガーケーシング自体にケーシング回転装置が介在装備されて、該ケーシング回転装置によってオーガーケーシングが回転可能に支持され、該オーガーケーシングをチャックするチャック装置は、該オーガーケーシングを介して、ケーシング回転装置によって、オーガー本体に対して独自に水平回転可能に設けられてなるＵ型鋼矢板圧入装置。
【請求項２】
前記掘削ロッドは、オーガースクリューロッドからなり、該オーガースクリューロッドのオーガースクリューヘッドがオーガーケーシングの下端部より下方に突出した状態にある請求項１に記載のＵ型鋼矢板圧入装置。
【請求項３】
前記掘削ロッドは、ダウンザホールハンマーのハンマーロッドからなり、該ハンマーロッド先端部のハンマービットがオーガーケーシングの下端部より下方に突出した状態にある請求項１に記載のＵ型鋼矢板圧入装置。
【請求項４】
前記ケーシング回転装置は油圧モーターによって回転するウォームギヤーからなる請求項１〜３の何れかに記載のＵ型鋼矢板圧入装置。
【請求項５】
前記チャック装置は、前記オーガーケーシングをチャックするケーシングチャック部と、オーガーケーシングにＵ状ウェブ部が沿うようにしてＵ型鋼矢板をチャックする鋼矢板チャック部とを備えてなる請求項１〜４の何れかに記載のＵ型鋼矢板圧入装置。
【発明の詳細な説明】
【技術分野】
【０００１】
本発明は、多数のＵ型鋼矢板をその係合耳部を互いに係合しながら隣接して、且つ隣接するＵ型鋼矢板のＵ状ウェッブ部を交互に表裏反転してＵ型鋼矢板を地中に圧入するようにしたＵ型鋼矢板圧入装置に係る。
【背景技術】
【０００２】
図７及び図８は、本発明の従来技術を示すもので、先ず図７において、Ｕ型鋼矢板圧入装置の構造を説明すると、先端部が左右に二股状に分岐した二股状ブーム部１に形成され、これによって二股状ブーム部１の左右間は空所部２となっており、これら左右の二股状ブーム部１の夫々の先端部１ａ，１ａに右吊り上げ用ワイヤー３と左吊り上げ用ワイヤー４を設け、これら左右の吊り上げ用ワイヤ３，４の下端部を左右の被吊持用シーブ等の被吊持具１８，１８に繋ぎ、該左右の被吊持具１８，１８間に被吊持用フレーム１９を取付ピン等の取付部材２０によって、二点鎖線で示すように取り外し可能に取り付け、該被吊持用フレーム１９によってその中央部で被吊持物であるアースオーガー５が一体的に固定されて吊持されるようになっている。
【０００３】
なお、上部空間が橋梁等により制限された場所において、できるだけ上下方向の長さの長い被吊持物を吊り上げ吊持するためにクレーンのアームの先端部を二股状ブーム部１に形成するようにした吊り上げ装置は、下記の特許文献１〜３に示すように周知技術である。
【０００４】
アースオーガー５は、上記空所部２に位置してオーガー駆動部６を備えるオーガー本体７と、該オーガー本体７に取り付けられるオーガーケーシング８と、該オーガーケーシング８を貫通して、その先端部のオーガースクリューヘッド９Ａａがオーガーケーシング８の下端部より下方に突出した状態で、前記オーガー駆動部６によって駆動されるオーガースクリューロッド９Ａとからなり、既に打ち込まれた既設のＵ型鋼矢板１０に支持される圧入機本体１１にチャック装置１２が上下動可能に装備され、該チャック装置１２によって、前記オーガーケーシング８と、該オーガーケーシング８の外周部に沿ってＵ型鋼矢板１０とがチャックされ、オーガースクリューロッド９Ａのオーガースクリューヘッド９Ａａによる先掘り駆動と、前記チャック装置１２の上下駆動によって前記オーガーケーシング８と前記Ｕ型鋼矢板１０とが地中に圧入されるようにした構造からなる。
【０００５】
更に詳しく説明すると、圧入機本体１１は、既に地中に圧入されたＵ型鋼矢板１０の上端部を掴んで支持する複数のクランプ２１を備えたサドル２２と（図６に示すようにサドル２２に取り付けられるクランプ２１は図中左右に移動調整可能となっており、Ｕ型鋼矢板１０を左右の位置でクランプできるようになっている。）、サドル２２に対して前後動可能なスライドベース２３と、スライドベース２３上で左右に水平旋回可能なリーダーマスト２４と、リーダーマスト２４の前面に設けたチャック上下レール（図示せず）に案内されて昇降するチャックフレーム２５と、リーダーマスト２４に対しチャックフレーム２５を昇降駆動するメイン油圧シリンダ２６とからなる。
【０００６】
又、圧入機本体１１には径大なホース巻取りリール２７が取り付けられており、オーガー駆動部６である油圧モーター６Ａに圧油を供給するための油圧ホース２８が巻取りリール２７に巻き取られるようになっている。
【０００７】
なお又、先に打設された既設のＵ型鋼矢板１０からの反力を取って新しいＵ型鋼矢板１０を地中に圧入したり、メイン油圧シリンダ２６の油圧だけではＵ型鋼矢板１０を地中に圧入することが困難な硬質地盤に対しても、Ｕ型鋼矢板１０を圧入することができるように、オーガーケーシング８内にオーガースクリューロッド９Ａで先掘りしながらＵ型鋼矢板１０を圧入するようにした鋼矢板圧入装置は、下記の特許文献４〜６に示すように周知技術である。
【０００８】
ところで、多数のＵ型鋼矢板１０がその係合耳部１０ｂ（図６参照）を互いに係合しながら隣接して、且つ互いに隣接するＵ型鋼矢板１０のＵ状ウェッブ部１０ａが交互に表裏反転しながら地中に圧入埋設されるためには、Ｕ型鋼矢板１０は、鋼矢板幅員分移動する毎に、そのＵ状ウェッブ部１０ａが表裏反転してチャック装置１２にチャックされなければならない。このためには、先工程でＵ型鋼矢板１０をチャック装置１２にチャックされて地中に圧入埋設されたのに続いて、隣接してＵ型鋼矢板１０がチャック装置１２に表裏反転してチャックされるためには、チャック装置１２を１８０°水平回転する必要があるが、このためには、図７及び図８に示す従来技術にあっては、二股状ブーム部１の先端部に取り付けられている左右の吊り上げ用ワイヤー３，４の下端部から、図７又は図８に示されるように、高所にある取付部材２０，２０を外して、被吊持具１８，１８に一体的に取り付けられているアースオーガー５を吊り上げ用ワイヤー３，４の吊り上げ状態から開放し、この開放状態で、リーダーマスト２４及びメイン油圧シリンダ２６を介して圧入機本体１１に取り付けられたチャックフレーム２５に対して、オーガー駆動部６を備えたオーガー本体７と共に、アースオーガー５及びこれを支持するチャック装置１２は、公知文献は散見されなかったが、適当な駆動手段によって所定の範囲で水平回転操作されなければならない。
【０００９】
このように、従来技術にあっては、アースオーガー５が、吊り上げ用ワイヤー３，４による吊り上げ状態から開放されるためには、高所にある取付部材２０，２０を被吊持具１８，１８から取り外す必要があり、その作業が面倒であり、非能率的であると共に、アースオーガー５を形成するオーガー駆動部６を備えたオーガー本体７が一体に回転することによって、オーガー駆動部６が油圧モーター６Ａからなる場合に、これに繋がれている油圧ホース２８がねじれたり、ホースどうしがからんだり、損傷する虞が多分にある。
【先行技術文献】
【特許文献】
【００１０】
【特許文献１】特開平９−７７４７５号公報
【特許文献２】特開２００１−７２３８０号公報
【特許文献３】特開平１１−３４３０９７号公報
【特許文献４】特開２０００−１８５２号公報
【特許文献５】特開２０００−１８５１号公報
【特許文献６】特開２０１７−８９１４３号公報
【発明の概要】
【発明が解決しようとする課題】
【００１１】
本発明は、多数のＵ型鋼矢板をその係合耳部を互いに係合しながら鋼矢板幅員方向に隣接して、且つ互いに隣接するＵ型鋼矢板のＵ状ウェッブ部が交互に表裏反転しながら、容易にＵ型鋼矢板を地中に圧入するようにしたＵ型鋼矢板圧入装置を提供することを目的とする。
【課題を解決するための手段】
【００１２】
上記目的を達成するための手段を図面の参照符号を付して示せば、請求項１に記載の発明に係るＵ型鋼矢板圧入装置は、先端部１が左右に二股状に分岐して形成され、これによって二股状ブーム部１の左右間は空所部２となっており、これら左右の二股状ブーム部１の夫々の先端部１ａ，１ａに右吊り上げ用ワイヤー３と左吊り上げ用ワイヤー４を設け、これら左右の吊り上げ用ワイヤ３，４によって被吊持物であるアースオーガー５が吊持され、該アースオーガー５は、上記空所部２に位置してオーガー駆動部６を備えるオーガー本体７と、該オーガー本体７に取り付けられるオーガーケーシング８と、該オーガーケーシング８を貫通して、その先端部の掘削ヘッド９ａがオーガーケーシング８の下端部より下方に突出した状態で、前記オーガー駆動部６によって駆動される掘削ロッド９とからなり、既に打ち込まれた既設の鋼矢板１０に支持される圧入機本体１１にチャック装置１２が上下動可能に装備され、該チャック装置１２によって、前記オーガーケーシング８と、該オーガーケーシング８の外周部に沿ってＵ型鋼矢板１０とがチャックされ、掘削ロッド９の掘削ヘッド９ａによる先掘り駆動と、前記チャック装置１２の上下駆動によって前記オーガーケーシング８と前記Ｕ型鋼矢板１０とが地中に圧入されるようにしたＵ型鋼矢板圧入装置において、圧入機本体１１にチャック装置１２が上下動可能に且つ水平回転可能に装備され、該チャック装置１２に、前記オーガーケーシング８と、該オーガーケーシング８の外周部に沿ってＵ状ウェブ部１０ａがオーガーケーシング８側に向くようにしてＵ型鋼矢板１０とがチャックされ、アースオーガー５のオーガー本体７とオーガーケーシング８との間、又はオーガーケーシング８自体にケーシング回転装置１３が介在装備されて、該ケーシング回転装置１３によってオーガーケーシング８が回転可能に支持され、該オーガーケーシング８をチャックするチャック装置１２が、該オーガーケーシング８を介して、該ケーシング回転装置１３によって、オーガー本体７に対して独自に水平回転可能に設けられてなる構成からなるものである。
【００１３】
又、請求項２に記載の発明に係るＵ型鋼矢板圧入装置の前記掘削ロッド９は、オーガースクリューロッド９Ａからなり、該オーガースクリューロッド９Ａのオーガースクリューヘッド９Ａａがオーガーケーシング８の下端部より下方に突出した状態にある請求項１に記載の構成からなるものである。
【００１４】
又、請求項３に記載の発明に係るＵ型鋼矢板圧入装置の前記掘削ロッド９は、図３に示すように、ダウンザホールハンマー３４のハンマーロッド９Ｂからなり、該ハンマーロッド９Ｂ先端部のハンマービット９Ｂａがオーガーケーシング８の下端部より下方に突出した状態にある請求項１に記載の構成からなるものである。
【００１５】
又、請求項４に記載の発明に係るＵ型鋼矢板圧入装置は、前記ケーシング回転装置１３は、油圧モーター１４によって回転するウォームギヤー１５からなる請求項１〜３の何れかに記載の構成からなるものである。
【００１６】
又、請求項５に記載の発明に係るＵ型鋼矢板圧入装置は、図４の（ｂ）に示すように、前記チャック装置１２は、前記オーガーケーシング８をチャックするケーシングチャック部１６と、オーガーケーシング８にＵ状ウェッブ部１０ａが沿うようにしてＵ型鋼矢板１０をチャックする鋼矢板チャック部１７とを備えてなる請求項１〜４の何れかに記載の構成からなるものである。
【発明の効果】
【００１７】
次に、本発明の効果について図面を参照して具体的に説明する。まず、請求項１の発明に係るＵ型鋼矢板圧入装置によれば、先端部１が左右に二股状に分岐して形成され、これによって二股状ブーム部１の左右間は空所部２となっており、これら左右の二股状ブーム部１の夫々の先端部１ａ，１ａに右吊り上げ用ワイヤー３と左吊り上げ用ワイヤー４を設け、これら左右の吊り上げ用ワイヤ３，４によって被吊持物であるアースオーガー５が吊持され、該アースオーガー５は、上記空所部２に位置し、オーガー駆動部６を備えるオーガー本体７と、該オーガー本体７に取り付けられるオーガーケーシング８と、該オーガーケーシング８を貫通して、その先端部の掘削ヘッド９ａがオーガーケーシング８の下端部より下方に突出した状態で、前記オーガー駆動部６によって駆動される掘削ロッド９とからなり、既に打ち込まれた既設のＵ型鋼矢板１０に支持される圧入機本体１１にチャック装置１２が上下動可能に装備され、該チャック装置１２によって、前記オーガーケーシング８と、該オーガーケーシング８の外周部に沿ってＵ型鋼矢板１０とがチャックされ、掘削ロッド９の掘削ヘッド９ａによる先掘り駆動と、前記チャック装置１２の上下駆動によって前記オーガーケーシング８と前記Ｕ型鋼矢板１０とが地中に圧入されるようにしたＵ型鋼矢板圧入装置において、圧入機本体１１にチャック装置１２が上下動可能に且つ水平回転可能に装備され、該チャック装置１２に、前記オーガーケーシング８と、該オーガーケーシング８の外周部に沿ってＵ状ウェブ部１０ａがオーガーケーシング８側に向くようにしてＵ型鋼矢板１０とがチャックされ、アースオーガー５のオーガー本体７とオーガーケーシング８との間、又はオーガーケーシング８自体にケーシング回転装置１３が介在装備されて、該ケーシング回転装置１３によってオーガーケーシング８が回転可能に支持され、該オーガーケーシング８をチャックするチャック装置１２が、該オーガーケーシング８を介して、該ケーシング回転装置１３によって、オーガー本体７に対して独自に水平回転可能に設けられてなるため、圧入機本体１１に繋がれているチャックフレーム２５に対して、チャック回転支持枠２９を介して水平回転可能に支持されているチャック装置１２にチャックされているオーガーケーシング８とＵ型鋼矢板１０とが同時に地中に圧入され、所定の深さまで掘進されると、Ｕ型鋼矢板１０は地中に埋設された状態に残され、オーガーケーシング８のみが地上に引き抜かれ、この状態で圧入機本体１１のスライドベース２３によって、メイン油圧シリンダ２６及びチャックフレーム２５とこれに繋がれているチャック装置１２とを、地中に埋設された既設のＵ型鋼矢板１０の幅員分だけ前進移動させ、この前進位置で、ケーシング回転装置１３を操作して、アースオーガー５のオーガー駆動部６及びオーガー本体７を回転させることなく、オーガーケーシング８及びこれをチャックしているチャック装置１２のみを水平方向に１８０°の範囲にわたって回転させる。
【００１８】
そして、このようにして、１８０°の範囲にわたって回転させたチャック装置１２に、既設のＵ型鋼矢板１０に対して、そのＵ状ウェブ部１０ａの向きがオーガーケーシング８を挟んで表裏反転して対面するようにして新しいＵ型鋼矢板１０をチャックさせることができる。
【００１９】
これがために多数のＵ型鋼矢板１０を地中に打設する工程に追従して、アースオーガー５のオーガー本体７とオーガーケーシング８との間、又はオーガーケーシング８自体に介在装備されたケーシング回転装置１３を操作することによって、互いに隣接するＵ型鋼矢板１０のＵ状ウェッブ部１０ａの向きを容易に反転させながら、Ｕ型鋼矢板１０の互いの係合耳部１０ｂを係合して、能率的にＵ型鋼矢板１０を地中に打設することができる。
【００２０】
又、アースオーガー５のオーガー駆動部６及びオーガー本体７は、何ら回転することがないから、オーガー駆動部６が油圧モーター６Ａからなる場合に、これに繋がれている油圧ホース２８がねじれたり、損傷することがない。
【００２１】
又、請求項２に記載の発明に係るＵ型鋼矢板圧入装置の前記掘削ロッド９は、オーガースクリューロッド９Ａからなり、該オーガースクリューロッド９Ａのオーガースクリューヘッド９Ａａがオーガーケーシング８の下端部より下方に突出した状態にあるため、オーガー駆動部６にオーガースクリューロッド９を直結した状態に形成することができるから構成が簡単であり、且つオーガースクリューロッド９ＡによってＵ型鋼矢板１０の圧入位置周辺の硬質地盤を容易に先掘りすることができ、Ｕ型鋼矢板１０を圧入することが困難な硬質地盤に対して、Ｕ型鋼矢板１０を容易に圧入することができる。
【００２２】
又、請求項３に記載の発明に係るＵ型鋼矢板圧入装置の前記掘削ロッド９は、図３に示すように、ダウンザホールハンマー３４のハンマーロッド９Ｂからなり、該ハンマーロッド９Ｂ先端部のハンマービット９Ｂａがオーガーケーシング８の下端部より下方に突出した状態にあるため、岩盤、礫層、転石、コンクリート等が存在する硬質ないし超硬質な地盤に対しても容易に先堀りすることができ、Ｕ型鋼矢板１０を圧入することが困難な超硬質地盤に対して、Ｕ型鋼矢板１０を容易に圧入することができる。
【００２３】
又、請求項４に記載の発明に係るＵ型鋼矢板圧入装置によれば、前記ケーシング回転装置１３は油圧モーター１４によって回転するウォームギヤー１５からなるため、油圧モーター１４の操作だけでウォームギャー１５を作動させることができ、ケーシング回転装置１３の操作を容易に行うことができる。しかも、ウォームギャー１２のロック機構により、オーガーケーシング８及びチャック装置１２を１８０°回転操作した位置で、オーガーケーシング８及びチャック装置１２を、ウォームギャー１２のロック作用によって、動揺することなく堅固に固定することができ、Ｕ型鋼矢板１０の圧入操作を良好に行うことができる。
【００２４】
又、請求項５に記載の発明に係るＵ型鋼矢板圧入装置によれば、前記チャック装置１２は、前記オーガーケーシング８をチャックするケーシングチャック部１６と、オーガーケーシング８にＵ状ウェブ部１０ａが沿うようにしてＵ型鋼矢板１０をチャックする鋼矢板チャック部１７とからなるため、オーガーケーシング８及びこれに沿うＵ型鋼矢板１０を正確にチャック装置１２にチャックさせることができる。
【図面の簡単な説明】
【００２５】
【図１】本発明に係る鋼矢板圧入装置を示す正面図である。
【図２】本発明の要部を示すケーシング回転装置の縦断正面図である。
【図３】本発明の要部の前記ケーシング回転装置に装備される掘削ロッドの他の実施形態を示す縦断正面図である。
【図４】（ａ）は、同要部を示すケーシング回転装置の横断平面図である。（ｂ）は、本発明の他の要部であるチャック装置の横断平面図である。
【図５】（ａ）は同要部の作動状態を示すケーシング回転装置の横断平面図である。（ｂ）は、同他の要部であるチャック装置の作動状態を示す横断平面図である。
【図６】鋼矢板圧入装置によって地中に打設された多数の既設の鋼矢板にクランプされた圧入機本体のサドルにチャック装置が取り付けられ、このチャック装置によって、順次新しい鋼矢板が打設される状態を示す説明図である。
【図７】従来の鋼矢板圧入装置を示す正面である。
【図８】同使用状態を示す斜視図である。
【発明を実施するための形態】
【００２６】
図１に示すように、本発明に係る鋼矢板圧入装置には、チャックフレーム２５に対してチャック回転支持枠２９を介してチャック装置１２が水平回転可能に支持されている。
【００２７】
チャック装置１２は、図４の（ｂ）に示すように、チャック本体３０と、チャック本体３０に装備されたケーシングチャック部１６，１６と、Ｕ型鋼矢板１０をチャックする鋼矢板チャック部１７を有する。又、オーガーケーシング８の外周部には径方向に対応して固定部３１と一対の凸部３２，３２が突設されており、そのうち、ケーシングチャック部１６，１６は、チャックシリンダ１６ａ，１６ａの駆動力によって、オーガーケーシング８の外周部に突設している前記一対の凸部３２，３２をチャックするようになっており、鋼矢板チャック部１７は、オーガーケーシング８の外周部に突設している前記他方の固定部３１とこれに対抗する鋼矢板チャックシリンダ３３とからなり、両者の間にＵ型鋼矢板１０がそのウェブ部１０ａがオーガーケーシング８の固定部３１側に向いて状態でチャックされるようになっている。
【００２８】
オーガーケーシング８とＵ型鋼矢板１０とはチャック装置１２に挿通されて、オーガーケーシング８はケーシングチャック部１６，１６にチャックされ、Ｕ型鋼矢板１０は、鋼矢板チャック部１７に同時にチャックされる。なお、図４の（ｂ）において、掘削ロッド９の一例であるオーガースクリューロッド９Ａにはスクリュー羽根９Ａｂが設けられ、オーガーケーシング８の凸部３２，３２間にはオーガーケーシング８内に発生した排土を外部にチャック本体３０から排出するための排土口３９と排土通路４０が設けられている。
【００２９】
したがって、チャック装置１２の両チャック部１６，１７で同時に夫々チャックされたオーガーケーシング８とＵ型鋼矢板１０とが、チャック回転支持枠２９を介して繋がれているチャックフレーム２５を昇降駆動するメイン油圧シリンダ２６によって所定距離間下降圧入され、その所定の下降位置でＵ型鋼矢板１０のみが鋼矢板チャック部１７のチャック状態から開放されてＵ型鋼矢板１０をその圧入位置に残留させ、オーガーケーシング８はケーシングチャック部１６にチャックされた状態で、メイン油圧シリンダ２９によってチャック装置１２を上昇駆動させ、その上昇位置でＵ型鋼矢板１０の上部側を、再び鋼矢板チャック部１７でチャックして下降させ、このようにしてチャック装置１２の昇降駆動の繰り返しによってＵ型鋼矢板１０が地中に圧入され、所定の深さまで掘進されると、Ｕ型鋼矢板１０は地中に埋設された状態に残され、オーガーケーシング８のみが地上に引き抜かれ、この状態で圧入機本体１１のスライドベース２３によって、メイン油圧シリンダ２６及びチャックフレーム２５とこれに繋がれているチャック装置１２とオーガーケーシング８とがＵ型鋼矢板１０の幅員分だけ前進移動される。
【００３０】
ところで、Ｕ型鋼矢板１０は、図４の（ｂ）に示すように、Ｕ状没入ウェブ１０ａとその両側の傾斜部１０ｃとその両縁部の係合耳部１０ｂとによって平面くの字状に形成されており、図中のように、Ｕ状没入ウェブ１０ａの没入面側がオーガーケーシング８の固定部３１側に向いた状態にＵ型鋼矢板１０が地中に打設されると、図６に示すように、鋼矢板１０がその幅音分だけ前進移動した隣接位置では、先に打設されたＵ型鋼矢板１０とは、図中のように反対向きに地中に打設され、両者の係合耳部１０ｂ，１０ｂが互いに係合され接続されるようになっている。
【００３１】
このためには、図４の（ｂ）に図示されるチャック装置１２によってチャックされるＵ型鋼矢板１０の向きを、図中の下向きから、図５の（ｂ）に示すように、図中上向きの状態にチャックされるようにチャック装置１２を回転させる必要がある。
【００３２】
このために、メイン油圧シリンダ２６及びチャックフレーム２５とこれに繋がれているチャック装置１２とオーガーケーシング８とをＵ型鋼矢板１０の幅員分だけ前進移動させた後に、図１に示すようにオーガーケーシング８に介在装備されるケーシング回転装置１３を作動させて、図４の（ｂ）に示す状態から、図５の（ｂ）に示すようにチャック装置１２を１８０°の範囲で回転させて、Ｕ状鋼矢板１０の向きを、図中上向きの位置でチャックすることができるようにした。
【００３３】
本実施形態では、図１に示すように、アースオーガー５のオーガー本体７とオーガーケーシング８との間、又はオーガーケーシング８自体にケーシング回転装置１３を介在装備させ、該ケーシング回転装置１３によってチャック装置１２にチャックされるオーガーケーシング８が、オーガー本体７に対して独自にチャック装置１２と共に水平回転可能に設けられてなるものである。
【００３４】
これによって、二股状ブーム部１に繋がれているオーガー駆動部６を備えるオーガー本体７は何ら回転することなく、ケーシング回転装置１３の下部のオーガーケーシング８のみが回転することになる。
【００３５】
そして、オーガーケーシング８をケーシングチャック部１６によってチャックするチャック装置１２は、オーガーケーシング８の回転にともなって一体に回転し、図５の（ｂ）に示すように、Ｕ型鋼矢板１０の向きを図中上向きに変換したチャック状態となる。
【００３６】
なお、メイン油圧シリンダ２６及びこれに繋がれるチャックフレーム２５は回転することがなく、チャック装置１２のみがチャック回転支持枠２９に回転可能に支持されて回転することになる。
【００３７】
ケーシング回転装置１３としては、本実施形態にあっては、図２乃至図４の（ａ）に示すように、油圧モーター１４で作動するウォームギャー１５を採用している。これがために、油圧モーター１４の操作だけでウォームギャー１５を作動させることができ、ケーシング回転装置１３の操作を容易に行うことができる。しかも、ウォームギャー１５の独特のロック作用により、オーガーケーシング８及びチャック装置１２を１８０°回転操作した位置で、オーガーケーシング８及びチャック装置１２を動揺することなく堅固に固定することができ、Ｕ型鋼矢板１０の圧入操作を良好に且つ正確に行うことができる。勿論、ケーシング回転装置１３は、前記構造に限定されることはなく、電動モーターや油圧シリンダによる回転機構によってケーシング回転装置１３を構成することもできる。要はオーガーケーシング８を回転駆動することが可能な回転駆動源であればよい。
【００３８】
具体的には、図２又は図３に示すように、アースオーガー５であるオーガー駆動部６を備えるオーガー本体７にウォームギャー支持フレーム３５がボルト等の固定具３６によって固定され、オーガー駆動部６によって作動される掘削ロッド９を挿通させているオーガーケーシング８をオーガー本体７と縁を切って、その外周部にウォームホィール３７を固着し、これにウォーム３８を咬合させ、図４の（ａ）に示すように、ウォーム３８を油圧モーター１４によって駆動させるようになっている。
【００３９】
又、図２にあっては、アースオーガー５のオーガー駆動部６に掘削ロッド９であるオーガースクリューロッド９Ａを直結することによって簡単な構成としているが、これに限定することなく、図３に示すように、オーガーケーシング８の内部にダウンザホールハンマー３４を装備するようにしてもよい。具体的にはアースオーガー５のオーガー駆動部６に繋がれる掘削ロッド９の外周部に雄ねじ部ａを形成し、ダウンザホールハンマー３４のハンマーケーシング３４ａの内周部に雌ねじ部ｂを形成し、両者をねじ結合することによって、オーガー駆動部６に繋がれる掘削ロッド９にハンマーケーシング３４ａを連結し、ハンマーケーシング３４ａの内部にハンマーピストン３４ｂとこれに繋がれるハンマーロッド９Ｂを配設し、該ハンマーロッド９Ｂの先端部にオーガーケーシング８の下端部から突出するハンマービット９Ｂａを取り付けるようにしてもよい。掘削ロッド９に繋がれたハンマーケーシング３４ａの回転力と、ハンマーケーシング３４ａ内のハンマーピストン３４ｂによる上下振動力によって、ハンマービット９Ｂａが掘削駆動し、その破砕力によって超硬質地盤を掘削させて軟化させ、この軟化した超硬質地盤にＵ型鋼矢板１０の圧入を助けることができる。
【００４０】
そして、図２又は図３の（ａ）のウォームギャー１５によって、図４の（ｂ）の状態にあるチャック装置１２の向きを変えるために、図５の（ａ）に示すようにウォームギャー１５を作動させて、図５の（ｂ）に示すように、チャック装置１２にチャックされているＵ型鋼矢板１０の向きをそのＵ状没入ウェブ１０ａが図中上向きになるようチャック装置１２を１８０°の範囲で回転させる。
【００４１】
すなわち、図６に示すように、チャック装置１２を鋼矢板１０の幅員分だけ前進移動させた後に、図１に示すようにオーガーケーシング８に介在装備させてケーシング回転装置１３を作動させて、図４の（ｂ）に示す状態から、図５の（ｂ）に示すようにチャック装置１２を１８０°の範囲で回転させて、Ｕ状鋼矢板１０の向きを図中上向きに変換するようにしている。なお、Ｕ状鋼矢板１０をチャック装置１２の鋼矢板チャック部１７にチャックさせるタイミングは、チャック装置１２の向きを回転変位させる前であっても、回転変位させた後の何れでもよいが、前者の場合にはクレーンのブームに吊り上げられるＵ型鋼矢板１０の向きを変える必要がないから、それだけＵ型鋼矢板１０のチャック装置１２への挿入が容易であるが、Ｕ型鋼矢板１０が長尺な場合にはチャック装置１２の回転にともなった重量のあるＵ型鋼矢板１０も回転移動させなければならないため、それだけチャック装置１２の負担が増えることになる。これに対して後者の場合にはクレーンのブームに吊り上げされるＵ型鋼矢板１０の向きを変える必要があるため、それだけＵ型鋼矢板１０のチャック装置１２への挿入に困難を伴うが、チャック装置１２の回転時にはＵ型鋼矢板１０の重量が負荷しないため、チャック装置１２への負荷がないというメリットがある。
【００４２】
そして、Ｕ状没入ウェブ１０ａが一方側に向いた状態にＵ型鋼矢板１０が地中に打設されると、Ｕ型鋼矢板１０がその幅音分だけ前進移動した隣接位置では、Ｕ型鋼矢板１０と図中のように反対向きに地中に打設され、両者の係合耳部１０ｂ，１０ｂが互いに係合され接続されることになる。
【００４３】
このようにＵ型鋼矢板１０を地中に打設して、それに後続して隣接位置に新しいＵ型鋼矢板１０を打設する際に、チャック装置１２をケーシング回転装置１３によって所定回転距離間回転させるだけでＵ型鋼矢板１０の向きを容易に変換することができ、その操作を円滑に且つ能率的に行うことができる。
【符号の説明】
【００４４】
１      二股状ブーム部
２      空所部
３      右吊り上げ用ワイヤー
４      左吊り上げ用ワイヤー
５      アースオーガー
６      オーガー駆動部
７      オーガー本体
８      オーガーケーシング
９      掘削ロッド
９ａ    掘削ヘッド
９Ａ    オーガースクリューロッド
９Ａａ  オーガースクリューヘッド
９Ｂ    ハンマーロッド
９Ｂａ  ハンマービット
１０    Ｕ型鋼矢板１０
１０ａ  Ｕ状没入ウェブ部
１０ｂ  係合耳部
１１    圧入機本体
１２    チャック装置
１３    ケーシング回転装置
１４    油圧モーター
１５    ウォームギアー
１６    ケーシングチャック部
１７    鋼矢板チャック部
３４    ダウンザホールハンマー
【図１】
2019031846.tif 000003
【図２】
2019031846.tif 000004
【図３】
2019031846.tif 000005
【図４】
2019031846.tif 000006
【図５】
2019031846.tif 000007
【図６】
2019031846.tif 000008
【図７】
2019031846.tif 000009
【図８】
2019031846.tif 000010
【手続補正書】
【提出日】平成29年10月25日(2017.10.25)
【手続補正１】
【補正対象書類名】特許請求の範囲
【補正対象項目名】請求項１
【補正方法】変更
【補正の内容】
【請求項１】
先端部が左右に二股状に分岐し、これによって二股状ブーム部の左右間は空所部となっており、これら左右の二股状ブーム部の夫々の先端部に右吊り上げ用ワイヤーと左吊り上げ用ワイヤーを設け、これら左右の吊り上げ用ワイヤによって被吊持物であるアースオーガーが吊持され、該アースオーガーは、上記空所部に位置してオーガー駆動部を備えるオーガー本体と、該オーガー本体に取り付けられるオーガーケーシングと、該オーガーケーシングを貫通して、その先端部の掘削ヘッドがオーガーケーシングの下端部より下方に突出した状態で、前記オーガー駆動部によって駆動される掘削ロッドとからり、既に打ち込まれた既設の鋼矢板に支持される圧入機本体にチャック装置が上下動可能に装備され、該チャック装置によって、前記オーガーケーシングと、該オーガーケーシングの外周部に沿ってＵ型鋼矢板とがチャックされ、掘削ロッドの掘削ヘッドによる先掘り駆動と、前記チャック装置の上下駆動によって前記オーガーケーシングと前記Ｕ型鋼矢板とが地中に圧入されるようにしたＵ型鋼矢板圧入装置において、
圧入機本体にチャック装置が上下動可能に且つ水平回転可能に装備され、該チャック装置に、前記オーガーケーシングと、該オーガーケーシングの外周部に沿ってＵ状ウェブ部がオーガーケーシング側に向くようにしてＵ型鋼矢板とがチャックされ、
アースオーガーのオーガー本体とオーガーケーシングとの間、又はオーガーケーシング自体にケーシング回転装置が介在装備されて、該ケーシング回転装置によってオーガーケーシングが回転可能に支持され、該オーガーケーシングをチャックするチャック装置は、該オーガーケーシングを介して、ケーシング回転装置によって、オーガー本体に対して独自に水平回転可能に設けられてなるＵ型鋼矢板圧入装置。